(57)【要約】【課題】容易な方法により、照明器具のソケットとランプの口金部との間に機械油、粉塵等の浸入を防ぐことを目的とする。【解決手段】パッキン６は、弾性を有する軟体により円筒形に形成され、口金７と器具本体１に設けられたソケット４との接合部を密閉する。パッキン６は、円筒形の軸方向の一端部にランプ５の口金７を挿入可能に形成され、挿入された口金７に密着する口金挿入部１０と、上記軸方向の他端部に形成され、口金挿入部１０に口金７が挿入された状態で蛍光ランプがソケットに取り付けられた場合に、弾性によりソケット４と密着するソケット密着部１１とを備える。【選択図】図６
2009199903.tif 000002
【特許請求の範囲】
【請求項１】
蛍光ランプの口金部に取り付けられ、上記口金部と照明器具本体に設けられたソケットとの接合部を密閉するためのパッキンであって、弾性体により円筒形に形成されたパッキンであり、
上記円筒形の軸方向の一端部に蛍光ランプの口金部を挿入可能に形成され、挿入された上記口金部に密着する口金挿入部と、
上記軸方向の他端部に形成され、上記口金挿入部に口金部が挿入された状態で蛍光ランプがソケットに取り付けられた場合に、弾性により上記ソケットと密着するソケット密着部と
を備えることを特徴とするパッキン。
【請求項２】
上記ソケット密着部は、内部に空気層を有するように形成された
ことを特徴とする請求項１に記載のパッキン。
【請求項３】
上記ソケット密着部は、上記口金挿入部に口金部が挿入された状態で蛍光ランプがソケットに取り付けられる場合に、所定の位置から上記他端部を上記口金挿入部側へ折り返して形成される
ことを特徴とする請求項１又は２に記載のパッキン。
【請求項４】
上記パッキンは、さらに、
上記口金挿入部の内側に、挿入された蛍光ランプの口金部を係止する突起状の口金係止部
を備えることを特徴とする請求項１から３までのいずれかに記載のパッキン。
【請求項５】
弾性体により円筒形に形成されたパッキンであり、
軸方向の一端側に挿入物を挿入可能な径の円筒形に形成された挿入部と、
軸方向の他端側を所定の位置から上記挿入部側へ折り返すことにより内側の弾性層と外側の弾性層との２重層部が形成されるとともに、上記２重層部の内側の弾性層と外側の弾性層との間に空気層が形成される弾性部と
を備えることを特徴とするパッキン。
【請求項６】
器具本体と、
上記器具本体に設けられ、蛍光ランプが着脱自在に取り付けられるソケットと、
上記ソケットに取り付けられる蛍光ランプに取り付けられる請求項１から５までのいずれかに記載のパッキンと
を備えることを特徴とする照明器具。
【発明の詳細な説明】
【技術分野】
【０００１】
本発明は、例えば、照明器具に設けられたソケットと蛍光ランプ等の口金との接合部に取り付けられるパッキン、及び、上記パッキンを備える照明器具とに関するものである。
【背景技術】
【０００２】
機械油、粉塵等がある工場等で使用する照明器具においては、その照明器具に設けられたソケットとランプの口金部との間に機械油、粉塵等の浸入を防ぐ必要がある。そこで、照明器具に設けられたソケットとランプの口金部との接合部の防水を目的としたパッキン（特許文献１、特許文献２参照）を取り付けすることで、照明器具のソケットとランプの口金部との間に機械油、粉塵等浸入を防いでいる。
【特許文献１】特開平１１−３５４２３５号公報
【特許文献２】特開平２０００−３１５５５７号公報
【発明の開示】
【発明が解決しようとする課題】
【０００３】
上記パッキンを取り付けするには、照明器具に設けられたソケットを上記パッキン専用のソケットへ交換する必要がある。そのため、取り付け作業に手間がかかるとともに、コストが高くなるという課題がある。
本発明は、例えば、専用のソケットに交換することなく、照明器具のソケットとランプの口金部との間に機械油、粉塵等の浸入を防ぐことを目的とする。
【課題を解決するための手段】
【０００４】
本発明に係るパッキンは、例えば、蛍光ランプの口金部に取り付けられ、上記口金部と照明器具本体に設けられたソケットとの接合部を密閉するためのパッキンであって、弾性体により円筒形に形成されたパッキンであり、
上記円筒形の軸方向の一端部に蛍光ランプの口金部を挿入可能に形成され、挿入された上記口金部に密着する口金挿入部と、
上記軸方向の他端部に形成され、上記口金挿入部に口金部が挿入された状態で蛍光ランプがソケットに取り付けられた場合に、弾性により上記ソケットと密着する弾性部と
を備えることを特徴とする。
【発明の効果】
【０００５】
本発明に係るパッキンは、照明器具に設けられたソケットに弾性により密着する。そのため、上記パッキン専用のソケットに交換することなく、上記パッキンを取り付けることができる。また、ソケットとランプの口金部とに密着するため、ソケットとランプの口金部との間に機械油、粉塵等の浸入を防ぐことができる。
【発明を実施するための最良の形態】
【０００６】
実施の形態１．
図１は、ランプ５を取り付けた状態の照明器具の斜視図である。図２は、図１に示すソケット４とランプ５との接続部分の拡大図である。図３は、図２に示すソケット４とランプ５との接続部分の分解図である。
【０００７】
図１から図３までに示すように、この実施の形態に係る照明器具は、器具本体１、反射板２、点灯装置３、ソケット４を備える。そして、ソケット４にパッキン６が取り付けられたランプ５が接続される。
器具本体１は、天井等の取付面に取り付けられ、内部に点灯装置３を備える。反射板２は、ソケット４に取り付けられたランプ５が点灯して光を発した場合に、その光を照射すべき方向へ反射する。点灯装置３は、ソケット４に取り付けられたランプ５の点灯を制御する。ソケット４は、ランプ５の口金７に設けられた口金ピン８を挿入するための穴を有しており、口金ピン８がその穴に挿入されることにより、ランプ５が照明器具に電気的に取り付けされる。
ランプ５の口金７部分にはパッキン６が取り付けられる。パッキン６は、シリコン等の弾性を有する軟体で円筒形に形成される。ランプ５の口金７部分に取り付けられたパッキン６は、弾性により口金７部分の周囲に隙間なく密着する。ランプ５は、パッキン６が取り付けられた状態で、口金ピン８をソケット４に挿入して取り付けられる。すると、パッキン６は弾性によりソケット４と密着する。その結果、パッキン６によってソケット４が有する穴と口金７に設けられた口金ピン８部分との周辺が密閉された状態になる。つまり、照明器具のソケット４と口金７と接合部に機械油、粉塵等浸入を防ぐことができる。
なお、ここでは、ランプ５の両端部に口金７がある直管型の蛍光ランプ及び直管型の蛍光ランプを取り付ける照明器具を用いて説明を行う。したがって、図示したように、器具本体１も長手方向両端にソケット４を備える。しかし、直管型の蛍光ランプ以外のランプ及びそのランプのための照明器具であっても構わない。
【０００８】
図４は、ソケット４とランプ５とへの取り付け前（パッキン６の製造時）のパッキン６の断面図である。
パッキン６は、弾性を有する軟体により円筒形に形成される。円筒形に形成されたパッキン６の軸方向の一端部には、ランプ５の口金７が挿入可能な径の口金挿入部１０（挿入部）が形成され、口金挿入部１０にはランプ５の口金７部分が挿入される。また、円筒形に形成されたパッキン６の軸方向の口金挿入部１０が形成された端部とは反対の端部（他端部）にはソケット密着部１１（弾性部）が形成される。口金挿入部１０とソケット密着部１１とを接続する部分を折返部１２と呼ぶ。
ここで、口金挿入部１０は、ソケット密着部１１よりも大きい径に形成される。また、折返部１２から折返接触部１４までの長さ（Ｌ２）は、折返部１２から折返係止部１３までの長さ（Ｌ１）と同じ長さか、少し長く形成される。
口金挿入部１０の端部は、口金挿入部１０の他の部分よりも厚みを持ち、円筒形の周の外側へ突出した折返係止部１３が形成される。また、ソケット密着部１１の端部も、同様に、ソケット密着部１１の他の部分よりも厚みを持ち、円筒形の周の外側へ突出した折返接触部１４が形成される。さらに、口金挿入部１０の内壁（円筒形の周の内側）には、突起状（凸状）の口金係止部１５が形成される。
【０００９】
図５は、ソケット４とランプ５とへの取り付け時のパッキン６の断面図である。
ソケット密着部１１は、ソケット４とランプ５とへ取り付けされる場合、折返部１２から口金挿入部１０側へ向かって、口金挿入部１０の外側に折り返される。ソケット密着部１１は、ソケット密着部１１の端部に設けられた折返接触部１４が、口金挿入部１０の端部に設けられた折返係止部１３に接触する程度まで折り返される。つまり、口金挿入部１０（内側の弾性層）とソケット密着部１１（外側の弾性層）との２重構造となる。すると、ソケット密着部１１の径は、口金挿入部１０の径よりも小さいため、折返接触部１４は、口金挿入部１０の折返係止部１３付近の外壁に密着する。そして、口金挿入部１０とソケット密着部１１との間には空気層が形成される。特に、折返部１２から折返接触部１４までの長さ（Ｌ２）は、折返部１２から折返係止部１３までの長さ（Ｌ１）よりも同じ長さか、少し長く形成されているため、ソケット密着部１１の折返部１２付近は口金挿入部１０の外壁と密着せず、口金挿入部１０の外壁との間に空気層が形成される。
【００１０】
図６は、図１に示すソケット４とランプ５との接続部分の断面図である。
ランプ５は、パッキン６に口金７部分を挿入される。口金７とガラス管との境界部に口金係止部１５が当たるまで、ランプ５はパッキン６に挿入される。つまり、口金係止部１５は、ランプ５がパッキン６に必要以上に挿入されないように係止する。ここで、折返係止部１３は厚みがあるため、ランプ５を挿入する際変形が少なく、挿入しやすい。パッキン６に口金７部分が挿入されると、口金挿入部１０の内壁は、ランプ５の口金７とガラス管の端部とに密着する。特に、ソケット密着部１１の径が口金挿入部１０の径よりも小さいため、折返接触部１４が口金挿入部１０の外壁を内側方向へ押す。そのため、口金挿入部１０の内壁はランプ５と隙間なく密着する。このとき、ランプ５の口金ピン８はソケット密着部１１側の端部よりも外方へ突出している。
この状態で、口金ピン８をソケット４の穴へ挿入する。すると、ソケット密着部１１の折返部１２付近の部分が弾性によりソケット４に密着する。特に、口金ピン８をソケット４の穴へ押し込む際に、ソケット密着部１１と口金挿入部１０との間に形成された空気層がつぶれるため、ソケット密着部１１の折返部１２付近の部分がソケット４に広い面積で接触して、隙間なく密着する。また、折返接触部１４も厚みがあるため、折返係止部１３としっかりと当接してずれることがない。そのため、ソケット密着部１１が均一に変形して空気層がつぶれ、ソケット密着部１１の折返部１２付近の部分がソケット４に隙間なく密着する。
【００１１】
ここで、ソケット４へランプ５を取り付ける方法として、一般に（１）ランプ５の口金ピン８をソケット４の穴に挿入して、ランプ５をソケット４の方向へ一旦強く押し込んで取り付ける方法（押し込み方法）と、（２）ランプ５の口金ピン８をソケット４の穴に挿入して、挿入した状態でランプ５の円筒形の周方向にランプ５を回して取り付ける方法（回転方法）との２つの方法がある。
（１）押し込み方法の場合、口金ピン８をソケット４の穴に挿入して、一旦強く押し込んだ際、ソケット密着部１１と口金挿入部１０との間に形成された空気層が大きくつぶれる。そして、口金ピン８をソケット４の穴へ押し込む圧力が弱くなれば、空気層のつぶれが小さくなる。空気層による弾性があるため、口金ピン８をソケット４の穴へ押し込む圧力によらず、ソケット４にパッキン６が密着することができる。
（２）回転方法の場合、口金ピン８をソケット４の穴に挿入すると、パッキン６はソケット４に密着する。そして、ランプ５を回転させると、パッキン６はソケット４に密着しながら回転する。ランプ５を回転させると、パッキン６はソケット４に密着しているので、パッキン６とソケット４との間に摩擦が生じる。しかし、パッキン６は、口金挿入部１０とソケット密着部１１との２重構造となっているため、回転方向へ加わる力に対しても変形しない。つまり、空気層を形成する２重構造であるため、ランプ５の円筒形の軸方向への軟性と弾性とを持ちながら、周方向へ回転することに対する剛性をも持つことができる。
以上のように、ソケット密着部１１と口金挿入部１０との間に空気層を形成する２重構造とすることにより、上記２つの取付方法のいずれの場合であっても、パッキン６をソケット４に密着させることができる。
【００１２】
また、パッキン６は、図４と図５とに示すように、ソケット４とランプ５とへの取り付け前（製造時）は１重構造の円筒形に構成されているものを、ソケット４とランプ５とへの取り付け時に、ソケット密着部１１を口金挿入部１０側へ折り返して２重構造とする。つまり、パッキン６は、１重構造として製造される。
これは、パッキン６の製造の容易さを考慮したものである。つまり、図４に示す１重構造の円筒形のものを製造することは、図５に示すソケット密着部１１と口金挿入部１０との間に空気層を有する２重構造のものを製造することに比べ容易であるためである。もちろん、図５に示すソケット密着部１１と口金挿入部１０との間に空気層を有する２重構造のパッキン６を製造するとしても構わない。
また、ソケット密着部１１を折り返すタイミングは、ランプ５を口金挿入部１０に挿入する前であっても、ランプ５を口金挿入部１０に挿入した後であって、ソケット４の穴に口金ピン８を挿入する前であっても構わない。
【００１３】
なお、上記説明において、口金７とガラス管との境界部に口金係止部１５が当たるまで、ランプ５はパッキン６に挿入されるとした。しかし、口金７の端部（ガラス管との境界部と逆側の端部）が口金係止部１５に当たるまで、ランプ５はパッキン６に挿入されるとしても構わない。この場合、口金７の外側にパッキン６が大きく飛び出した状態で、ランプ５がソケット４に接続される。そのため、図７に示すように、ランプ５がソケット４に接続されると、パッキン６の空気層は大きくつぶれる。したがって、パッキン６とソケット４との密着度は高くなる。しかし、パッキン６とソケット４との密着度が高い分、上記（２）回転方法においては、変形してソケット４とパッキン６との間に密着しない部分ができる可能性が高くなる。
【００１４】
また、パッキン６は、ソケット密着部１１と口金挿入部１０との間に空気層を形成する２重構造とはせず、図８に示すような１重構造であっても構わない。図８に示すパッキン６は、ソケット密着部１１が口金挿入部１０側の端部から逆側の端部（他端部）へ向かって徐々に広がるラッパ状に形成されている。そのため、上記（１）押し込み方法の場合、ソケット密着部１１が円筒形の周の外方向へ開くようにつぶれ、ソケット４と隙間なく密着することができる。しかし、周方向へ回転させることに対する剛性が弱いため、上記（２）回転方法においては、変形してソケット４とパッキン６との間に密着しない部分ができる可能性が高くなる。
【００１５】
また、上記説明では、パッキン６は口金７を覆うように取り付けられるとしたが、少なくとも口金７の端部を覆うようにパッキン６がランプ５に取り付けられればよい。
【００１６】
以上のように、この実施の形態に係るパッキン６は、パッキン６専用のソケット４でなくとも取り付けることができる。そして、ソケット４と口金７の口金ピン８との間に機械油、粉塵等が浸入することを防ぐことができる。
また、この実施の形態に係るパッキン６は、ランプ５に挿入することだけで取り付けすることができ、高所での取り付け作業であっても容易に行うことができる。
【図面の簡単な説明】
【００１７】
【図１】照明器具の斜視図。
【図２】図１に示すソケット４とランプ５との接続部分の拡大図。
【図３】図２に示すソケット４とランプ５との接続部分の分解図。
【図４】ソケット４とランプ５とへの取り付け前（パッキン６の製造時）のパッキン６の断面図。
【図５】ソケット４とランプ５とへの取り付け時のパッキン６の断面図。
【図６】図１に示すソケット４とランプ５との接続部分の断面図。
【図７】ランプ５のパッキン６への挿入を浅くした場合におけるソケット４とランプ５との接続部分の断面図。
【図８】パッキン６の他の例を示す断面図。
【符号の説明】
【００１８】
１  器具本体、２  反射板、３  点灯装置、４  ソケット、５  ランプ、６  パッキン、７  口金、８  口金ピン、１０  口金挿入部、１１  ソケット密着部、１２  折返部、１３  折返係止部、１４  折返接触部、１５  口金係止部。
【図１】
2009199903.tif 000003
【図２】
2009199903.tif 000004
【図３】
2009199903.tif 000005
【図４】
2009199903.tif 000006
【図５】
2009199903.tif 000007
【図６】
2009199903.tif 000008
【図７】
2009199903.tif 000009
【図８】
2009199903.tif 000010